(57)【特許請求の範囲】
【請求項１】
ロータリ耕耘装置（１）の耕耘装置（８）を主カバー（１０）、及び、主カバー（１０）の後端部に上下回動自在に連結しているリヤーカバー（１１）により被覆し、前記主カバー（１０）側に支持されているコマ体（２０）の縦穴（２０ａ）に押圧ロッド（１９）の上部を上下動自在に挿通支持し、押圧ロッド（１９）の下端部にリヤーカバー（１１）を連結したロータリ耕耘装置において、押圧ロッド（１９）に長手方向に複数の係止孔（１９ａ，１９ａ，…）を設け、係止孔（１９ａ）の入口側に隣接して皿状の誘導孔（１９ｂ）を構成し、前記コマ体（２０）に押圧ロッド（１９）の交差方向に移動して係止孔（１９ａ）に挿入できるロックピン（２８）を装着し、前記ロックピン（２８）を係止孔（１９ａ）の方向に３段階に出し入れ調節し、ロックピン（２８）の先端部が係止孔（１９ａ）への挿入状態、誘導孔（１９ｂ）への挿入状態、及び、係止孔（１９ａ），誘導孔（１９ｂ）から引き抜かれた状態に切り替える構成とし、ロックピン（２８）を係止孔（１９ａ）の方向に３段階に出し入れ調節するロックレバー（３２）を設け、ロックピン（２８）が誘導孔（１９ｂ）から引き抜かれた状態の解除位置でのロックレバー（３２）の位置に対して、ロックピン（２８）が誘導孔（１９ｂ）に挿入している状態でのロックレバー（３２）の位置とロックピン（２８）が係止孔（１９ａ）に挿入している状態でのロックレバー（３２）の位置はそれぞれ反対方向に配置する構成とし、前記コマ体（２０）には縦穴（２０ａ）に直交するように左右横方向の大径の嵌合支持穴（２０ｂ）及び小径の挿通穴（２０ｃ）を構成し、該嵌合支持穴（２０ｂ）にスライドピン（２６）をスライド自在に構成し、スライドピン（２６）の下端部をコマ体（２０）の嵌合支持穴（２０ｂ）に摺接する大径部（２６ａ）に構成すると共に、上側部を小径部（２６ｂ）に構成して、コマ体（２０）の嵌合支持穴（２０ｂ）の内周面とスライドピン（２６）の小径部（２６ｂ）の外周部との間に係止バネ（２７）を介装して設け、該係止バネ（２７）の一端をスライドピン（２６）の大径部（２６ａ）の端面により当接支持し、係止バネ（２７）の他端部をコマ体（２０）に係止した止め輪（２９）で位置決めされている座金（３０）により当接してスライドピン（２６）を下側の係止方向に付勢する構成とし、さらに、前記スライドピン（２６）とロックピン（２８）との間には、ロックピン（２８）を離脱側に押圧する第２バネ（３１）を介装して設けたことを特徴とするロータリ耕耘装置。
【発明の詳細な説明】
【０００１】
【発明の属する技術分野】
この発明は、ロータリ耕耘装置のリヤーカバー係止装置の改良に関するものである。
【０００２】
【従来技術】
ロータリ耕耘装置の耕耘装置を主カバー及びリヤーカバーにより耕耘装置を被覆し、主カバーに対してリヤーカバーが上下回動自在に連結し、主カバー側に支持されているコマ体の縦穴に押圧ロッドの上部を上下動自在に挿通支持し、押圧ロッドの下端部にリヤーカバーを連結し、押圧ロッドに複数の係止孔を設け、コマ体に押圧ロッドの係止孔に挿入できるロックピンを装着し、このロックピンを係止孔に対して２段階に出し入れ調節し、ロックピンの先端部が係止孔への挿入状態、及び、係止孔から引き抜かれた状態に切り替える構成である。
【０００３】
【発明が解決しようとする問題点】
従来のリヤーカバーのロック装置は、コマ体に装着したロックピンを２段階に調節し、ロックピンが係止孔に挿入された状態でリヤーカバーを固定状態としたり、あるいは、ロックピンが係止孔から引き抜かれてリヤーカバー１１が大きく上下方向に移動できる状態として耕耘作業をするので、耕耘作業が制限されて多様な耕耘作業をすることができないという問題点があった。そこで、この発明はこのような問題点を解決しようとするものである。
【０００４】
【問題を解決するための手段】
このような技術的課題を解決するために、この発明は次のように構成した。即ち、請求項１においては、ロータリ耕耘装置１の耕耘装置８を主カバー１０、及び、主カバー１０の後端部に上下回動自在に連結しているリヤーカバー１１により被覆し、前記主カバー１０側に支持されているコマ体２０の縦穴２０ａに押圧ロッド１９の上部を上下動自在に挿通支持し、押圧ロッド１９の下端部にリヤーカバー１１を連結したロータリ耕耘装置において、押圧ロッド１９に長手方向に複数の係止孔１９ａ，１９ａ，…を設け、係止孔１９ａの入口側に隣接して皿状の誘導孔１９ｂを構成し、前記コマ体２０に押圧ロッド１９の交差方向に移動して係止孔１９ａに挿入できるロックピン２８を装着し、前記ロックピン２８を係止孔１９ａの方向に３段階に出し入れ調節し、ロックピン２８の先端部が係止孔１９ａへの挿入状態、誘導孔１９ｂへの挿入状態、及び、係止孔１９ａ，誘導孔１９ｂから引き抜かれた状態に切り替える構成とし、ロックピン２８を係止孔１９ａの方向に３段階に出し入れ調節するロックレバー３２を設け、ロックピン２８が誘導孔１９ｂから引き抜かれた状態の解除位置でのロックレバー３２の位置に対して、ロックピン２８が誘導孔１９ｂに挿入している状態でのロックレバー３２の位置とロックピン２８が係止孔１９ａに挿入している状態でのロックレバー３２の位置はそれぞれ反対方向に配置する構成とし、前記コマ体２０には縦穴２０ａに直交するように左右横方向の大径の嵌合支持穴２０ｂ及び小径の挿通穴２０ｃを構成し、該嵌合支持穴２０ｂにスライドピン２６をスライド自在に構成し、スライドピン２６の下端部をコマ体２０の嵌合支持穴２０ｂに摺接する大径部２６ａに構成すると共に、上側部を小径部２６ｂに構成して、コマ体２０の嵌合支持穴２０ｂの内周面とスライドピン２６の小径部２６ｂの外周部との間に係止バネ２７を介装して設け、該係止バネ２７の一端をスライドピン２６の大径部２６ａの端面により当接支持し、係止バネ２７の他端部をコマ体２０に係止した止め輪２９で位置決めされている座金３０により当接してスライドピン２６を下側の係止方向に付勢する構成とし、さらに、前記スライドピン２６とロックピン２８との間には、ロックピン２８を離脱側に押圧する第２バネ３１を介装して設けたことを特徴とするロータリ耕耘装置としたものである。
【０００５】
【発明の作用及び効果】
請求項１においては、ロックピン２８を移動調節し、ロックピン２８の先端係止部２８ａを押圧ロッド１９の係止孔１９ａに挿入する。すると、リヤーカバー１１は所定位置にロックされ、耕耘表土を押圧気味とし表土を硬く押圧しながら耕耘作業をすることができる。
【０００６】
また、ロックピン２８を移動調節し、ロックピン２８の係止部２８ａを押圧ロッド１９の係止孔１９ａから引き抜く。すると、リヤーカバー１１は大きく上下動自在となり、耕耘表土を膨軟にしながら耕耘作業をすることができる。
また、ロックピン２８を移動調節し、ロックピン２８の係止部２８ａを押圧ロッド１９の誘導孔１９ｂに挿入する。すると、押圧ロッド１９は誘導孔１９ｂの範囲で上下動可能となり、リヤーカバー１１が所定範囲でのみ上下回動自在となり、耕耘表土を所定の膨軟状態としながら耕耘作業をすることができる。
【０００７】
このように、この発明は、耕耘表土を多様な膨軟状態とし、多様な耕耘作業をすることができる。
また、ロックピン２８が押圧ロッド１９の誘導孔１９ｂに位置する状態で押圧ロッド１９が軸心上下方向に動かされると、押圧ロッド１９の皿状の誘導孔１９ｂの皿状部でロックピン２８先端部は所定範囲出入りしているが都度皿状部に押され上下動可能となり、リヤーカバー１１が所定範囲で上下回動する。
そして、リヤーカバー１１先端を大きく手で上昇方向に上げて、押圧ロッド１９の最下端の単なる丸孔部がロックピン２８先端位置まで移動すると、ロックピン２８の丸孔部への落ち込みにより、リヤーカバー１１は自動的に上げロックされる。
また、ロックピン２８を係止孔１９ａ，誘導孔１９ｂから離脱させることにより、押圧ロッド１９はフリーとなり、リヤーカバー１１を大きく上下動可能になり、耕耘深度を深くして耕耘作業をすることができる。
また、ロックピン２８の先端部が誘導孔１９ｂに位置する状態として、押圧ロッド１９は誘導孔１９ｂの連続して設けられた範囲間で上下動でき、リヤーカバー１１を所定範囲にわたって上下回動可能にして耕耘作業をすることができ、耕耘表土を膨軟にしながら耕耘することができる。
【０００８】
【発明の実施の形態】
以下、本発明の実施例の形態について説明する。
先ず、図１〜図２に基づきロータリ耕耘装置１の全体構成について説明する。農用トラクタの機体後部に昇降自在に連結されているロータリ耕耘装置１は、次のように構成されている。トラクタ本体から動力の伝達される伝動ボックス１、伝動ボックス１から左右両側方に延出している左・右ビーム３，３、左ビーム３の端部に連結されているサイド伝動ケース４、右ビーム３の端部に連結されているサイドプレート５、前記サイド伝動ケース４及びサイドプレート５の下端部に軸架されている耕耘軸６と耕耘爪７により構成されている耕耘装置８、伝動ボックス１に取り付けられているマスト９、耕耘装置８の上部を被覆する主カバー１０、耕耘装置８の後部を被覆するリヤーカバー１１等により構成されている。
【０００９】
伝動ボックス１にはゲージホイル１２の取り付けられているリヤーヒッチ１３を上下回動自在に取り付け、前記マスト９にはスクリュー伸縮式の上下調節装置１４の上端部を枢支し、上下調節装置１４の下端部をリヤーヒッチ１３の中間部に枢支連結して、調節ハンドル１５を操作し上下調節装置１４を伸縮調節し、リヤーヒッチ１３を上下調節する構成である。
【００１０】
次に、ロータリ耕耘装置１のカバー構成について説明すると、主カバー１０の後端部とリヤーカバー１１の前端部との間を、ゴム等の柔軟性のある弾性板体１６により連結し、主カバー１０及びリヤーカバー１１の左右両側部を上方に湾曲した左・右板バネ１７，１７により連結している。
【００１１】
次に、リヤーカバー１１の調節支持構成について説明する。図２に示すように、リヤーカバー１１の上部に設けられている左・右下ステー１８，１８には、押圧ロッド１９，１９の下端部を枢支連結し、主カバー１０の後部左右両側に設けた左・右上ステー１８ａ，１８ａには、コマ体２０を嵌合支持して、コマ体２０の縦穴２０ａに押圧ロッド１９，１９を上下動自在に挿通支持している。押圧ロッド１９，１９の上調節ナット２１とコマ体２０との間に上押圧バネ２２を介装し、押圧ロッド１９の下調節ナット２３とコマ体２０との間に、下押圧バネ２４を介装している。
【００１２】
また、押圧ロッド１９には長手方向に複数の係止孔１９ａ，１９ａ，…を設け、上下方向中間部の係止孔１９ａには、図３に示すように、入口側に皿状の誘導孔１９ｂのある係止孔１９ａに構成し、前記コマ体２０に装着したロック装置２５のロックピン２８を孔方向に３段階に調節し、ロックピン２８が係止孔１９ａに挿入された状態、ロックピン２８の先端部が誘導孔１９ｂに位置する状態、及び、ロックピン２８が係止孔１９ａ，誘導孔１９ｂから引き抜かれた状態に切り替えできる構成としている。また、押圧ロッド１９の最下端部の係止孔１９ａは、皿状の誘導孔１９ｂを設けていない単なる丸孔としている。
【００１３】
しかして、ロックピン２８を係止孔１９ａに係合することにより、押圧ロッド１９は左・右上ステー１８ａ，１８ａに固定され、リヤーカバー１１を上下動しない固定状態にすることができる。また、ロック装置２５を係止孔１９ａ，誘導孔１９ｂから離脱させることにより、押圧ロッド１９はフリーとなり、リヤーカバー１１の上下動により、押圧ロッド１９は上下動できる。また、ロックピン２８の先端部が誘導孔１９ｂに位置する状態では、押圧ロッド１９は誘導孔１９ｂの範囲で上下動でき、リヤーカバー１１が所定範囲で上下回動する。
【００１４】
また、押圧ロッド１９の上下端部に設けている上調節ナット２１，下調節ナット２３を長手方向に調節することにより、上押圧バネ２２及び下押圧バネ２４の加圧力を調節することができる。
次に、ロック装置２５の具体構成について説明する。
【００１５】
ロック装置２５は図３に示すように次のように構成している。コマ体２０には縦穴２０ａに直交するように左右横方向の大径の嵌合支持穴２０ｂ及び小径の挿通穴２０ｃを構成し、この嵌合支持穴２０ｂにスライドピン２６をスライド自在に挿入している。
【００１６】
このスライドピン２６の下端部をコマ体２０の嵌合支持穴２０ｂに摺接する大径部２６ａに構成し、上側部を小径部２６ｂに構成して、コマ体２０の嵌合支持穴２０ｂの内周面とスライドピン２６の小径部２６ｂの外周部との間に、係止バネ２７を介装し、係止バネ２７の一端をスライドピン２６の大径部２６ａの端面により当接支持し、係止バネ２７の他端部をコマ体２０に係止したＣ型止め輪２９で位置決めされている座金３０により当接して、スライドピン２６を下側の係止方向に付勢している。
【００１７】
前記座金３０はコマ体２０の嵌合支持穴２０ｂの内周面とスライドピン２６の小径部２６ｂの外周面との間に嵌合する大きさとして、スライドピン２６の垂れ下がり防止の機能も果たしている。
スライドピン２６に長手方向に形成した中空穴２６ｃには、ロックピン２８をスライド自在に嵌合し、ロックピン２８の先端部には、押圧ロッド１９の係止孔１９ａ，１９ａ，…に嵌入する係止部２８ａを構成している。このスライドピン２６とロックピン２８の間には、ロックピン２８を離脱側に押圧する第２バネ３１を介装している。なお、ロックピン２８の横断面形状を非円形として回転を防止する構成とすると、係止部２８ａの摩耗を防止できる。
【００１８】
スライドピン２６の上側端部にはロックレバー３２をピン３３により軸支し、ロックレバー３２にはコマ体２０の摺接面２０ｄに摺接するカム部３２ａを形成している。
しかして、ロックレバー３２を図３の右側の下げロック位置に回動操作すると、摺接面２０ｄにはカム部３２ａの低部が摺接して、スライドピン２６が係止バネ２７の押圧力により下側に移動し、ロックピン２８も同じ方向に移動して、係止部２８ａが押圧ロッド１９の係止孔１９ａに係合した状態となり、リヤーカバー１１は所定位置にロックされた状態となる。
【００１９】
また、ロックレバー３２を図３の上方の解除位置に回動操作すると、ロックレバー３２のカム部３２ａの高部が摺接面２０ｄに摺接して、スライドピン２６が係止バネ２７に抗して上側の離脱方向に移動し、第２バネ３１によりロックピン２８も上側の離脱方向に移動し、ロックピン２８の係止部２８ａが押圧ロッド１９の係止孔１９ａから離脱して、リヤーカバー１１は上下動自在になる。
【００２０】
また、ロックレバー３２を図３の左側の上げロック位置に回動操作すると、ロックレバー３２のカム部３２ａの高低中間部が摺接面２０ｄに摺接して、スライドピン２６が係止バネ２７に抗して上側に移動し、第２バネ３１によりロックピン２８も上側の離脱方向に移動し、ロックピン２８の係止部２８ａが押圧ロッド１９の誘導孔１９ｂに位置する。この状態で押圧ロッド１９が軸心上下方向に動かされると、押圧ロッド１９の皿状の誘導孔１９ｂの皿状部でロックピン２８先端部が、コマ体２０の挿通孔２０ｃ内までスライドピン２６と一緒に押圧ロッド１９外周位置まで押し上げられる。この押し上げにより、リヤーカバー１１は、押圧ロッド１９の誘導孔１９ｂが連続して設けられた範囲間でロックピン２８先端部は所定範囲出入りしているが都度皿状部に押され上下動可能となり、リヤーカバー１１が所定範囲で上下回動する。そして、リヤーカバー１１先端を大きく手で上昇方向に上げて、押圧ロッド１９の最下端の単なる丸孔部がロックピン２８先端位置まで移動すると、ロックピン２８の丸孔部への落ち込みにより、リヤーカバー１１は自動的に上げロックされる。
【００２１】
リヤーカバー１１が上下動自在の状態で、下調節ナット２３を上側に位置調節することにより、リヤーカバー１１の接地圧を加圧側に調節でき、上調節ナット２１の固定位置を下側に調節することにより、リヤーカバー１１の下限位置を高い位置に調節できる。
【００２２】
従来のロック装置は、押圧ロッド１９には長手方向に複数の係止孔１９ａ，１９ａ，…を設け、コマ体２０に装着したロック装置２５のロックピン２８を孔方向に２段階に調節し、ロックピン２８が係止孔１９ａに挿入された状態、及び、ロックピン２８が係止孔１９ａから引き抜かれた状態に切り替えできる構成である。
【００２３】
しかし、この実施例は、押圧ロッド１９の係止孔１９ａの入口側に皿状の誘導孔１９ｂを構成し、コマ体２０に装着したロック装置２５のロックピン２８を孔方向に３段階に調節し、ロックピン２８が係止孔１９ａに挿入された状態、ロックピン２８の先端部が誘導孔１９ｂに位置する状態、及び、ロックピン２８が係止孔１９ａ，誘導孔１９ｂから引き抜かれた状態に切り替えできる構成としたので、ロックピン２８を係止孔１９ａに係合することにより、押圧ロッド１９は左・右上ステー１８ａ，１８ａに固定され、リヤーカバー１１を上下動しない固定状態で耕耘作業ができ、また、ロック装置２５を係止孔１９ａ，誘導孔１９ｂから離脱させることにより、押圧ロッド１９はフリーとなり、リヤーカバー１１を大きく上下動可能になり、耕耘深度を深くして耕耘作業をすることができ、また、ロックピン２８の先端部が誘導孔１９ｂに位置する状態として、押圧ロッド１９は誘導孔１９ｂの連続して設けられた範囲間で上下動でき、リヤーカバー１１を所定範囲にわたって上下回動可能にして耕耘作業をすることができ、耕耘表土を膨軟にしながら耕耘することができる。また、リヤーカバー１１後端部を上限まで上げてロックしたときは、ロータリ耕耘装置の耕耘爪周りの泥土取り去りや巻きついた草，藁取外し等が容易に行なえる。
【００２４】
次に、図４に示す他のロック装置につき前記実施例との相違点について説明する。
押圧ロッド１９には長手方向に複数の係止孔１９ａ，１９ａ，…を設け、コマ体２０に装着したロック装置２５のロックピン２８の先端部に面取り部２８ｂを構成して、面取り部２８ｂの長い部分を上側にして係止孔１９ａに挿入する構成としている。ロックピン２８を孔方向に３段階に調節し、ロックピン２８の先端の面取り部２８ｂが係止孔１９ａに全部挿入された状態、ロックピン２８の先端の面取り部２８ｂの短い部分が係止孔１９ａの上端部に位置する状態、及び、ロックピン２８の面取り部２８ｂが係止孔１９ａから全部引き抜かれた状態に切り替えできる構成としている。
【００２５】
ロックレバー３２を図４の右側の下げロック位置に回動操作すると、摺接面２０ｄにはカム部３２ａの低部が摺接して、スライドピン２６が係止バネ２７の押圧力により下側に移動し、ロックピン２８も同じ方向に移動して、面取り部２８ｂの全部が押圧ロッド１９の係止孔１９ａに係合した状態となり、リヤーカバー１１は所定位置にロックされた状態となる。
【００２６】
また、ロックレバー３２を図４の上方の解除位置に回動操作すると、ロックレバー３２のカム部３２ａの高部が摺接面２０ｄに摺接して、スライドピン２６が係止バネ２７に抗して上側の離脱方向に移動し、第２バネ３１によりロックピン２８も上側の離脱方向に移動し、ロックピン２８の面取り部２８ｂが押圧ロッド１９の係止孔１９ａから全部離脱して、リヤーカバー１１は上下動自在になる。
【００２７】
また、ロックレバー３２を図４の左側の上げロック位置に回動操作すると、ロックレバー３２のカム部３２ａの高低中間部が摺接面２０ｄに摺接して、スライドピン２６が係止バネ２７に抗して上側に移動し、第２バネ３１によりロックピン２８も上側の離脱方向に移動し、ロックピン２８の面取り部２８ｂの短い部分が押圧ロッド１９の係止孔１９ａの上端部に位置し、押圧ロッド１９は上方へだけ移動可能となり、下げ側へのロックを回避しながらリヤーカバー１１を上下回動自在に支持することができる。
【００２８】
従来装置は、ロックピン２８を２段階に出し入れ調節すると共に、ロックレバー３２によりロックピン２８を軸芯回りに１８０度回転させ、ロックピン２８の面取り部２８ｂの向きを変えて、上げロック状態及び下げロック状態を切り替える構成であり、操作が複雑で使いにくいという不具合があった。しかし、この実施例では、ロックレバー３２によりロックピン２８を軸芯回りに１８０度回転させるという操作を不要とし、ロックピン２８を３段階に出し入れ調節をするだけの操作でよく、操作性を向上させることができる。
【００２９】
次に、図５に基づきリヤーカバー１１の他の実施例について説明する。
リヤーヒッチ１３の後端部に、スタンドアーム３４の一端を枢支連結し、スタンドアーム３４の他端部をリヤーカバー１１の連結部３５に連結したり、取り外したりする構成である。
【００３０】
スタンドアーム３４をリヤーカバー１１に連結すると、リヤーヒッチ１３とリヤーカバー１１とが一体化して、リヤーカバー１１によりロータリ耕耘装置１を支持し、スタンドとしての機能を果たし、コストの低減を図ることができる。
次に、図６及び図７に基づきスライドヒッチ１３の他の実施例について説明する。
【００３１】
ロータリ耕耘装置１に昇降自在に設けられているスライドヒッチ１３を、中央から右側部分にのみ設け、コンパクト化及びコストの低減を図ろうとするものである。
図６に示すように、伝動ボックス２のブラケット及び右ビーム３のブラケットに、前スライドヒッチ１３ａを中央から右側部位に上下回動自在に軸支し、前スライドヒッチ１３ａの筒部に後スライドヒッチ１３ｂの筒部を挿通して、ピン３５，３５，…により前後位置調節自在に連結し、後スライドヒッチ１３ｂのヒッチ部１３ｃに培土器（図示省略）等の作業機を取り付けるものである。なお、ロータリ耕耘装置１の後部左側に培土器を取り付ける場合には、伝動ボックス２のブラケット及び左ビーム３のブラケットに前スライドヒッチ１３ａを付け代えて、左側に位置変更するものである。
【００３２】
従来装置は図７に示すように、前スライドヒッチ１３ａを中央部位に上下回動自在に軸支し、前スライドヒッチ１３ａの筒部に後スライドヒッチ１３ｂの筒部を挿通支持し、後スライドヒッチ１３ｂのヒッチ部１３ｃを機体幅と同じに幅広に構成し、培土器（図示省略）等の作業機を取り付ける構成である。従って、ヒッチ部１３ｃの左右両側部は片持ち状態となるため強度アップを図るため大きくなり、また、圃場での旋回時にヒッチ部１３ｃの両端部が邪魔になることがあった。
【００３３】
しかし、この実施例は前記のように構成したので、幅の狭いヒッチ部１３ｃの両端部は筒部に連結されているので剛性がアップし、また、ロータリ耕耘装置１の後部左側には空間が形成されて、圃場での旋回を容易にすることができる。
【図面の簡単な説明】
【図１】  ロータリ耕耘装置の斜視図である。
【図２】  ロータリ耕耘装置の側面図である。
【図３】  要部の切断側面図、平面図である。
【図４】  他の実施例を示す要部の切断側面図、切断背面図、平面図である。
【図５】  ロータリ耕耘装置の側面図、背面図である。
【図６】  要部の平面図である。
【図７】  従来装置を示す要部の平面図である。
【符号の説明】
１    ロータリ耕耘装置
２    伝動ボックス
３    左・右ビーム
４    サイド伝動ケース
５    サイドプレート
６    耕耘軸
７    耕耘爪
８    耕耘装置
９    マスト
１０    主カバー
１１    リヤーカバー
１２    ゲージホイル
１３    リヤーヒッチ
１４    上下調節装置
１５    調節ハンドル
１６    弾性板体
１７    左・右板バネ
１８    左・右下ステー
１８ａ  左・右上ステー
１９    押圧ロッド
１９ａ  係止孔
１９ｂ  誘導孔
２０    コマ体
２０ａ 縦穴
２０ｂ 嵌合支持穴
２０ｃ 挿通穴
２１    上調節ナット
２２    上押圧バネ
２３    下調節ナット
２４    下押圧バネ
２５    ロック装置
２６    スライドピン
２６ａ 大径部
２６ｂ 小径部
２７    係止バネ
２８    ロックピン
２８ａ  係止部
２８ｂ  面取り部
２９    Ｃ型止め輪
３０    座金
３１    第２バネ
３２    ロックレバー
３３    ピン
【図１】
0004496607.tif 000002
【図２】
0004496607.tif 000003
【図３】
0004496607.tif 000004
【図４】
0004496607.tif 000005
【図５】
0004496607.tif 000006
【図６】
0004496607.tif 000007
【図７】
0004496607.tif 000008